(57)【特許請求の範囲】
【請求項１】
本体ケース１と、
本体ケース１に開口した吸込孔６と、
本体ケース１の内部に備えられた空気浄化用のフィルター４と、
本体ケース１の内部に前記吸込孔６を介して外気を吸い込み、前記フィルター４に通して浄化された空気を本体ケース１の外部へ圧送するファン３を備え、
本体ケース１に、前記ファン３により圧送される浄化空気を吹き出して吸込孔６の前方を囲むトンネル状のエアカーテンを形成する空気吹出手段を備え、
この空気吹出手段が、本体ケース１の吸込孔６を有する一面１ａ上に突設された少なくとも３本の吹出管２２により構成され、
この吹出管２２は、前記吸込孔６を囲むよう間隔を置いて突設してあり、さらに前記吹出管２２には、前記浄化空気を吹き出す第１の吹出口２３が、管長手方向にわたり、かつ、隣りの吹出管２２と対向するように開口してあり、
各吹出管２２の先端側に第２の吹出口２５を開口し、かつ、この第２の吹出口２５を開閉するシャッター部材２７を、第２の吹出口２５を閉口すると共に第１の吹出口２３を開放する姿勢と、第２の吹出口２５を開放すると共に第１の吹出口２３を閉口する姿勢とにわたって切り換え自在に備えてあることを特徴とする吸煙機。
【請求項２】
第１の吹出口２３が吹き出し方向に漸次拡開するラッパ状に形成されていることを特徴とする請求項１に記載の吸煙機。
【発明の詳細な説明】
【０００１】
【発明の属する技術分野】
本発明は、タバコの煙を吸引除去する吸煙機に関する。
【０００２】
【従来の技術】
室内に漂っているタバコの煙は、室内に浮遊する塵埃、花粉などハウスダストを集塵するのに使用されるファン式の空気清浄機で吸引除去されている。
【０００３】
【発明が解決しようとする課題】
しかるに、ファン式の空気清浄機では、これより遠くに離れた位置で喫煙している場合はもとより、近くで喫煙している場合も、喫煙者の吐く主流煙やタバコの先からの副流煙が周りに拡がったのちに吸引されるものである。このため、タバコの煙を空気清浄機で吸引する前に周りの人が吸わされたり、嫌な臭いを嗅がされて不快感を与え、また部屋の壁や家具、カーテンなどをタバコのヤニで汚すことにもなる。
【０００４】
本発明の目的はこうした問題を解消するためになされたもので、タバコの煙が、できる限り周囲に拡散する前に迅速かつ効率よく吸引できる吸煙機を提供することにある。
【０００５】
【課題を解決するための手段】
本発明のうち請求項１に係る発明は、本体ケース１と、本体ケース１に開口した吸込孔６と、本体ケース１の内部に備えられた空気浄化用のフィルター４と、本体ケース１の内部に前記吸込孔６を介して外気を吸い込み、フィルター４に通して浄化された空気を本体ケース１の外部へ圧送するファン３を備えた吸煙機において、本体ケース１に、前記ファン３により圧送される浄化空気を吹き出して吸込孔６の前方外周を覆うトンネル状のエアカーテンを形成する空気吹出手段を備えてあることを特徴とする。
【０００６】
上記空気吹出手段は、請求項２に記載の発明のように、本体ケース１の吸込孔６を有する一面１ａ上に、上記浄化空気を吹き出す吹出口２３を管長手方向にわたって開口した少なくとも３本の吹出管２２を、前記吸込孔６の外周を囲むよう間隔を置いて突設することができる。
【０００７】
上記空気吹出手段は、請求項４に係る発明のように、本体ケース１の吸込孔６を有する一面１ａ上に、上記浄化空気を吹き出す第１の吹出口２３を管長手方向にわたって開口した少なくとも３本の吹出管２２を、前記吸込孔６の外周を囲むよう間隔を置いて突設し、各吹出管２２の先端側に第２の吹出口２５を開口し、かつ、この第２の吹出口２５を開閉するシャッター部材２７を、第２の吹出口２５を閉口すると共に第１の吹出口２３を開放する姿勢と、第２の吹出口２５を開放すると共に第１の吹出口２３を閉口する姿勢とにわたって切り換え自在に備えることができる。上記吹出口２３は、請求項３および５に記載の発明のように、吹き出し方向に漸次拡開するラッパ状に形成することができる。
【０００８】
【作用】
空気吹出手段で吸込孔６の前方外周を覆うトンネル状のエアカーテンを形成することにより、本体ケース１の吸込孔６の前方でタバコの煙を吸入する開始点は、吸込孔６からエアカーテンの入口付近にまで遠去けることができ、それだけ吸煙機から離れた位置で喫煙していても煙や臭いを周囲に拡散することなく吸込孔６に吸引することができる。
【０００９】
エアカーテンは、本体ケース１の一面１ａに突設した吹出管２２の管長手方向にわたって開口した吹出口２３から吹き出す浄化空気で形成することにより、吹出管２２を長くするほどトンネル状のエアカーテンを長く形成することができ、それだけ煙吸入開始点を吸煙機から遠去けることができる。
吹出口２３を吹き出し方向に漸次拡開するラッパ状に形成することにより、できる限り短い吹出管２２で長いトンネル状のエアカーテンを形成することができる。
【００１０】
空気吹出手段が第１・２の吹出口２３・２５およびこれら吹出口２３・２５を切り換え自在に開閉するシャッター部材２７を備えている場合は、シャッター部材２７で第２の吹出口２５を閉口して第１の吹出口２３を開放することにより、上記したように吸込孔６の前方にエアカーテンをトンネル状に形成することができ、このトンネル状のエアカーテンの入口付近でタバコの煙を周囲に拡散することなく吸引することができる。これは卓上などに置き、吸込孔６の前方で一人が周囲の人に迷惑をかけることなく喫煙する場合に適している。
シャッター部材２７で第１の吹出口２３を閉口して第２の吹出口２５を開放し、吹出管２２が上向き姿勢となるように置き換えると、エアカーテンの無い状態にすることができる。従って、従来のファン式の空気清浄機の同様にタバコの煙を吸込孔６の全周から吸引することができ、会議室や応接室など広い場所に設置して多人数の喫煙者を対象とする場合に適用できる。
【００１１】
【発明の実施の形態】
本発明に係る吸煙機の一実施例を図１ないし図５に基づき説明する。図１は吸煙機の一使用例を示す斜視図、図２は吸煙機の縦断側面図、図３は図２におけるＡ−Ａ線断面図、図４は吸煙機の分解斜視図、図５（ａ）は吹出管の斜視図、図５（ｂ）は図５（ａ）におけるＢ−Ｂ線断面図である。
この吸煙機は、図２に示すごとく本体ケース１の内部にファン３と空気浄化用のフィルター４を組み込む。
図２および図４に示すように、本体ケース１は前面１ａを開口する四角形箱状に形成し、この前面開口部を吸込板５で塞ぐ。吸込板５はこれの中央付近に多数の吸込孔６を縦横に列設し、その四コーナに円弧状の切欠７を設けている。
【００１２】
ファン３は、図２および図４に示すごとく多数の羽根９を放射状に有するシロッコファンなどからなる遠心ファンを採用してあり、モータ１０の出力軸上に固定する。モータ１０はモータ取付板１１に取付具１２で取り付ける。モータ取付板１１は本体ケース１の内部にこの内部空間を前後に仕切るよう配置固定することにより、この前側と吸込板５との間にフィルター格納室１３を、後側にファン格納室１４を形成する。
モータ取付板１１の四コーナには後部吹出管１５をそれぞれ前方突出状にかつ等間隔に備え付け、中央に透孔１６を開口してあり、この透孔１６を介してフィルター格納室１３とファン格納室１４とを連通状態にする。
【００１３】
本体ケース１のフィルター格納室１３を形成する一側壁１ｂにはフィルター出入口１７が開口され、このフィルター出入口１７よりフィルター４の交換を可能にしている。フィルター４はタバコの煙や臭いを捕捉する種々のフィルター材、例えば、プラスチックフォーム、不織布マット、クレープドフィラメント、ろ紙、ろ布、不織布シート、あるいはこれらと活性炭、ゼオライトを組み合わせたものなどからなって、フィルター枠１９に張設されている。
【００１４】
図３に示すように、本体ケース１内のファン格納室１４は変形渦巻形室に形成する。すなわち、ファン格納室１４を形成する本体ケース１の上下側壁１ｃ・１ｄおよび左右側壁１ｂ・１ｅの各後半内面はインボリュート曲線を描く渦巻形壁Ｐに形成される。各渦巻形壁Ｐの巻き始め部Ｐ1 とファン３外周との隙間は小さく、ファン３外周との隙間を最も大きくする巻き終わり部はファン格納室１４の各コーナに至らしめる。
【００１５】
本体ケース１内の各渦巻形壁Ｐの上端面には段部２０が形成され、この段部２０の上に前記モータ取付板１１の四方端縁が載せられて、該モータ取付板１１の四コーナに備えた４個の後部吹出管１５の後端開口がファン格納室１４の各コーナに臨む。後部吹出管１５の前端開口は吸込板５のコーナの切欠７から前方へ突出する。
【００１６】
モータ１０によりファン３を回転させて空気をファン３の外周にはね飛ばすと、ファン３の中央部の圧力が低下するので、外気は吸込孔６を通ってフィルター格納室１３内に吸い込まれ、フィルター４を通過してファン３の中央部に吸い込まれる。ファン３ではね飛ばされた空気は高速度でファン３を出て渦巻形室に集まりながら速度を減じ、圧力を高めて後部吹出管１５の前端開口から出てゆく。
【００１７】
後部吹出管１５の前端開口には、エアカーテン形成用の前部吹出管２１が吸込板５より前方へ突出するよう連結され、この前後部吹出管２１・１５で吹出管２２が構成される。図５に示すように、前部吹出管２１はこれの管壁の円周一部に第１の吹出口２３をその管長手方向にわたって開口し、先端の閉塞壁２４の一部に第２の吹出口２５をそれぞれ開口する。各前部吹出管２１は第１の吹出口２３が隣りの前部吹出管２１と対向するように配置する。フィルター３の回転方向は第１の吹出口２３からの空気吹き出し方向と一致させる。しかるときは、各前部吹出管２１の第１の吹出口２３から一斉に後部吹出管１５からの清浄空気を吹き出すと、吸込板５の前方に吸込孔６群の前方外周を囲む断面ほぼ四角形のトンネル状のエアカーテンＣを形成する。
【００１８】
図５において、第１の吹出口２３は前部吹出管２１の管壁上の二箇所から管内方へ一体に曲げ形成された対向壁２１ａ・２１ａ間に形成される。その対向壁２１ａ・２１ａには管径方向に横断する邪魔板２６を前後方向に所定間隔に並べて設ける。そして、邪魔板２６は前部吹出管２１の前方へ至るに従い漸次管径方向に長く形成してある。これにより後部吹出管１５から出てくる浄化空気は第１の吹出口２３からその前後長手方向にわたって均等に分散して吹き出すので、均一な厚い層の吹き出し気流でエアカーテンをつくることができる。
【００１９】
前部吹出管２１にはこれの第１・２の吹出口２３・２５を切り換え自在に開閉するシャッター部材２７を回転自在に被せる。図２に示すように、シャッター部材２７は有底筒状に形成して、その周壁の一部に第１の吹出口２３の形状に対応する第１の開口２９を、その底壁に第２の吹出口２５の形状に対応する第２の開口３０をそれぞれ設ける。そして、シャッター部材２７は第１の開口２９を前部吹出管２１の第１の吹出口２３に一致させて該吹出口２３を開放する状態では、第２の開口３０が前部吹出管２１の閉塞壁２４の第２の吹出口２５より偏した箇所に存在して該吹出口２５を閉じ、反対に第２の開口３０を第２の吹出口２５に一致させて該吹出口２５を開放する状態では、第１の開口２９が前部吹出管２１の管壁の第１の吹出口２３より偏した箇所に存在して該吹出口２３を閉じる。
【００２０】
次に、上記構成の吸煙機の作動につき説明する。一人で喫煙するときは、図１に示すように、卓上Ｔなどに吸込板５が正面に向くように置く。そしてシャッター部材２７で第１の吹出口２３を開放し、第２の吹出口２５を閉じる。モータ１０によってファン３を回転させると、吸込孔６の前方に外気を吸い込む吸込気流が生じ、この吸い込む吸込気流でフィルター格納室１３内に吸い込まれる外気はフィルター４を通過して浄化され、この浄化空気はフィルター３で吹出管２２へ圧送され、吹出口２３、開口２９から吹き出て吸込孔６の前方外周を覆うトンネル状のエアカーテンＣを形成する。
【００２１】
従って、吸込孔６の前方で喫煙するタバコの煙Ｓは、トンネル状のエアカーテンＣの入口付近から吸込み気流にのって吸込孔６に吸い込まれる。タバコの煙は吸込孔６に吸い込まれるまではエアカーテンＣで周囲と仕切られているので、周囲の人に吸わせたり、臭いを嗅がせることなく、喫煙できる。
タバコの煙を吸入する開始点を、エアカーテンＣの入口付近にまで遠ざけることができ、それだけ吸煙機から離れた位置で喫煙していても煙や臭いを周囲に拡散することなく吸込孔６に吸引することができる。
【００２２】
会議室や応接室など広い場所に設置して多人数の喫煙者を対象とする場合には、吸込板５が上向きになるように置き換える。そしてシャッター部材２７で第１の吹出口２３を閉口して第２の吹出口２５を開放すると、浄化空気は第２の吹出口２５、開口３０から上方へ吹き出すため、エアカーテンの無い状態にすることができる。従って、従来のファン式の空気清浄機の同様にタバコの煙を吸込孔６の全周から吸引することができる。
【００２３】
上記吹出口２３は、図６に示すように、吹き出し方向に漸次拡開するラッパ状に形成することができる。これによりできる限り短い吹出管２２で長いトンネル状のエアカーテンを形成することができる。
【００２４】
図６に示すように、吸煙機はエアカーテン方式専用タイプでもよい。この場合は第２の吹出口２５およびシャッター部材２７は不要となり、吹出管２２の先端は常に閉塞状に形成する。そのほかの構成は上記実施例の場合と同様である。
この実施例の場合、吹出管２２の先端には、オン・オフスイッチ３１やタバコの煙を感知して運転開始を可能にする煙センサー３２などを備える。これらオン・オフスイッチ３１や煙センサー３２を吹出管２２の先端に備えておくと、これらが本体ケース１に備えられている場合に比較して、この前で喫煙する人にできる限り近づけることができて操作性、感知応答性を向上できる。
【００２５】
なお、吹出管２２としては前部吹出管２１と後部吹出管１５とは一体に形成することもできる。吹出管２２は３本、５本・・・、少なくとも３本以上とする。また、吸込孔６は吸込板５のほぼ中央に１個だけ大きめに開口するものであってもよい。
【００２６】
【発明の効果】
本発明によれば、空気吹出手段で吸込孔６の前方外周を覆うトンネル状のエアカーテンを形成するので、吸煙機から離れた位置で喫煙していても煙や臭いを周囲に拡散することなく吸引することができる。従って、タバコの煙を周囲人に吸わせたり、嫌な臭いを嗅がせることなく、また部屋の壁や家具、カーテンなどをタバコのヤニで汚すことがなくなる。
【００２７】
吹出管２２の吹出口２３から吹き出す浄化空気でエアカーテンを形成するので、吹出管２２の長さに応じてトンネル状のエアカーテンを長く形成することができ、それだけ煙吸入開始点を吸煙機から遠去けることができる。
吹出口２３を吹き出し方向に拡開するラッパ状に形成すると、できる限り短い吹出管２２で長いトンネル状のエアカーテンを形成することができる。これにより吸煙機の小形化を図れ、卓上などに置くときも使い易くなる。
【００２８】
吹出管２２に第１・２の吹出口２３・２５およびこれら吹出口２３・２５を切り換え自在に開閉するシャッター部材２７を備えていると、吸込孔６の前方で一人が周囲の人に迷惑をかけることなく喫煙する仕様と、会議室や応接室など広い場所に設置して多人数の喫煙者を対象とする仕様とに使い分けることができる。
【図面の簡単な説明】
【図１】一実施例の吸煙機を使用状態で示す斜視図である。
【図２】図１の吸煙機の縦断側面図である。
【図３】図２におけるＡ−Ａ線断面図である。
【図４】図１の吸煙機の分解斜視図である。
【図５】（ａ）は吹出管の斜視図、（ｂ）は図５（ａ）におけるＢ−Ｂ線断面図である。
【図６】他の実施例を示す吸煙機の斜視図である。
【符号の説明】
１  本体ケース
３  ファン
４  フィルター
６  吸込孔
１５  後部吹出管
２１  前部吹出管
２２  吹出管
２３  第１の吹出口
２５  第２の吹出口
２７  シャッター部材
【図１】
0003775707.tif 000002
【図２】
0003775707.tif 000003
【図３】
0003775707.tif 000004
【図４】
0003775707.tif 000005
【図５】
0003775707.tif 000006
【図６】
0003775707.tif 000007